(57)【特許請求の範囲】
【請求項１】
血液採集用の針組み立て品であって、
内側管と該内側管を取り囲む外側管とを有するハブであって、前記ハブの前記管はそれぞれ基端と末端とを有し、前記内側管と外側管の基端は接続され、前記ハブの内側管と外側管の末端は互いに離隔して、前記内側管と前記外側管の末端部分の間に円柱状の空間を定め、前記ハブの外側管はそれを貫いて前記円柱状空間と連通するように延びている保持穴を含んでいるハブと、
前記ハブの前記内側管の末端と堅く接続された基端を有する針カニューレと、
前記ハブの前記円柱状の空間内にはめ込まれ、前記針カニューレが露出されている基端位置から前記針カニューレがシールドされている末端位置まで移動可能なシールドであって、弾性的に屈曲可能で基部側にかつ外側に向かって突出するフィンガーを備え、該フィンガーが、前記ハブの前記外側管の前記保持穴で係合して前記基部位置に前記シールドを保持するアクチュエータを含んでいるシールドと、
シールドとハブとの間に配置され、前記シールドを前記末端位置へ押し進めるためのばねであって、それによって前記アクチュエータに加えられている内方へ導く力が前記外側管の前記保持穴から前記アクチュエータを押し出し、前記シールドを前記末端位置へ進ませるようなばねと、
を具えることを特徴とする血液採集セット用の針組み立て品。
【請求項２】
前記弾性的に屈曲可能なフィンガーは、前記ハブに対して前記シールドが基部方向へ移動しないように、該シールドが前記末端位置にあるときに、前記ハブの前記末端で前記外側管と係合するように寸法付けられた基部面を具えることを特徴とする請求項１に記載の針組み立て品。
【請求項３】
ハブの外側管は、前記針組み立て品を把持し固定するように、弾性的に屈曲可能な放射状に伸びる一対の羽根を含んでいることを特徴とする請求項１に記載の針組み立て品。
【請求項４】
ハブは、前記内側管と外側管とを接続するための基端壁を含み、前記ばねは、ハブの基端壁に当たって係合する基端と、シールドに当たって係合する末端とを有するコイルばねを具えていることを特徴とする請求項１に記載の針組み立て品。
【請求項５】
シールドは対向する基端と末端とを有し、シールドの末端はハブの内側管とスライド結合するように内方へ延びている環状の末端壁を具えており、シールドの環状の末端壁とシールドの基端との間の部分は、ハブの内側管から放射状に外方向に空間つけられており、ばねの末端はシールドの環状の末端壁と係合し前記ばねの係合部分は前記シールドと前記ハブの内側管との間に配置されていることを特徴とする請求項４に記載の針組み立て品。
【請求項６】
前記管の中を通る通路とハブの内側壁の中を通る通路とが連通するように、ハブの基端と接続する可撓性の管を具えていることを特徴とする請求項１に記載の針組み立て品。
【発明の詳細な説明】
【０００１】
【発明の属する技術分野】
本発明は、針カニューレと針カニューレを安全に保護するために前方へ押し出すことができるシールドとを具える血液採集セットに関する。
【０００２】
【従来の技術】
従来技術の血液採集セットは、尖った先端と熱可塑性のハブに取りつけられた基端とを有する小径の針カニューレを含んでいる。血液採集セットのハブに近い部分には、一対の曲げやすい羽根が設けられているかもしれない。その羽根は、小さな針カニューレの指の操作を容易にするため、お互いの面と面とを係合させて固定することができる。そして、羽根は、お互いを離して固定することができ、面と面とを係合させて患者の肌の刺した場所の近くにテープで止めることができる。従来技術の血液採集セットは、さらに、ハブに接続された一方端と、付属品に接続された他方端とを有する曲げやすいプラスチックの管を含んでいる。この付属品は、採集した血液が誘導されるであろう容器と連通する位置に配置され得る。
【０００３】
従来技術の血液採集セットにおける針カニューレは、典型的に使用前と使用後には不慮の突き刺しを防ぐためにシールドされている。従来技術の血液採集セットで用いられる針のシールドは、様様な形態が取られている。典型的には、従来技術の血液採集セットは、使用前の不慮の突き刺しを防ぐために針カニューレを覆ってはめ込まれる堅い管状のキャップを具えている。この管状のキャップは血液採集セットを使用する直前に針カニューレから取り外される。ほとんどの従来技術の血液採集セットは、さらに、針カニューレとハブとを覆ってはめ込まれる第２シールドを含んでいる。この第２シールドは、少なくとも、従来技術のハブの羽根が開くであろうところを通る一つの隙間を含んでいてもよい。そして、従来技術の血液採集セットを使用する医療技術者は、片手で針のハブの羽根を押さえて、もう一方の手で患者または血液提供者から針カニューレを取り除いた後、シールドをするであろう。そして、羽根はシールドにおける基部の方へスライドされ、その結果、シールドの中に針カニューレを引き込む。従来技術のシールドの中には、針カニューレの再露出を困難にするために、針カニューレがシールドされたとき、羽根と係合するように設計されているものもある。
【０００４】
【発明が解決しようとする課題】
従来技術の血液採集セットで使用された針カニューレをシールドするために必要とされる指先の操作は、シールドが避けようとしている不慮の針の突き刺しを生み出す可能性を引き起こしている。特に、使用済みの針カニューレの先端に接近するところで相反する方向に両手が動かされるように要求するようなシールドを頼りにすることは望ましくない。したがって、本願の発明者達は、血液採集セット用の自動的にシールドできる針カニューレを提供することが望ましいことであると認識している。
【０００５】
【課題を解決するための手段】
本発明は、基端と尖った先端とそれらの間に延在するルーメンとを有する針カニューレを具える血液採集セットに関する。
【０００６】
血液採集セットはさらに、熱可塑性の材料で形成されているであろうハブを含んでいる。前記ハブは、基端と末端とを含んでいる。前記ハブはまた、前記基端と前記末端との間に延在する内側管と外側管とを有している。内側管のハブの末端にある部分には針カニューレの基端がしっかりと取りつけられている。したがって、針カニューレを通るルーメンは、ハブを通る通路と連通している。内側管と外側管とは互いにハブの基端付近で接続されている。しかしながら、円柱状の空間が内側管と外側管の間の他の場所に存在し、ハブの末端から開口されている。外側管は、それを通って伸びている穴であって、ハブの基端付近の場所にある内側管と外側管との間の円柱状の空間内へ伸びている穴を含んでいる。
【０００７】
血液採集セットはさらに、対向した基端と末端とを有する可撓性の一本の管を含んでいてもよい。可撓性の管の末端は、ハブの基端と接続されていてもよい。針カニューレを貫通するルーメンとハブを貫通する通路は両方とも可撓性の管を貫通する通路に通じている。可撓性の管はさらに付属品に接続されてもよい基端を含んでいる。付属品は、血液採集セットに血液のサンプルを貯蔵する貯蔵容器と連通するように位置つけられる針カニューレを具えていてもよい。管と付属品は従来の構造でなされていてもよい。
【０００８】
血液採集セットはさらに、相当に堅いおおよそ管状で、血液採集セットを使用する前に不慮の針突き刺しからの防護のため、針カニューレを覆う安全キャップを含んでいてもよい。この安全キャップは、摩擦でハブと係合されている基端を含んでいる。堅い管状の安全キャップは、血液採集セットを使用する直前に取り外されてもよい。
【０００９】
血液採集セットはさらに、ハブの外側管の内部にはめ込まれ、ハブの内側管とカニューレを覆ってはめ込まれている安全シールドを含んでいる。そして、このシールドは、針カニューレが露出される基部分から、針カニューレが安全にシールドされる末端部分まで移動可能である。偏らせる手段は、末端部分へのシールドを押し進めるためにシールドとハブとの間に備えつけられている。偏らせる手段は、ハブの一部を取り囲むコイルばねであってもよい。
【００１０】
血液採集セットはさらに、偏らせる手段の蓄えられたエネルギーに逆らって、ハブと針カニューレに関する基部分にシールドを解除可能に保持するための保持器を備えている。保持器は、ハブの外側管の穴に突き出た、弾性的に屈曲可能な作動フィンガーを定めている。作動フィンガーの端は、作動フィンガーが穴から離れるように下に下げられ、偏らせる手段によって加えられる力に応じて末端部分に向かって進められてシールド可能となるものであってもよい。
【００１１】
【発明の実施の形態】
本発明に従う血液採集セットは、おおよそ、図１から図３の符号１０によって識別される。血液採集セット１０は、針ハブ１４、針カニューレ１６、安全キャップ（不図示）、シールド２０、ばね２２を具える針組み立て品１２を含んでいる。ハブ１４は基端３２と末端３４とを含んでいる。管状の内側壁３６が基端３２から末端３４まで延在しており、針カニューレ１６と従来の実施形態のようにして接続されている。管状の外側壁３８は、管状の内側壁３６を取り囲んで同軸に空間つけられた関係に配置されている。管状の外側壁３８には、基端３２近くの場所に、それを通って延びる保持穴４０が形成されている。羽根６６は従来の実施形態のように、管状の外側壁から横軸方向に延びている。
【００１２】
シールド２０は、ハブ１４の内側壁３６と外側壁３８の間にはめ込まれていて、基端４２と末端４４を含んでいる。弾性的に屈曲可能なフィンガー４６は基端４２と末端４４との間の場所から基部側に外に向かって突き出ている。フィンガー４６は、ハブ１４の外側壁３８の保持穴４０に解除可能に係合するアクチュエータ４８を含んでいる。ばね２２はハブ１４の基端３２とシールド２０との間に押しつけられた状態で取り込まれている。
【００１３】
針組み立て品１２は従来の方法で用いられている。針カニューレ１６を患者から引き抜いた後、シールド２０は、アクチュエータ４８上の押力を作用させることによって、単に作動される。この押力が、アクチュエータ４８を穴４０から外すと、シールド２０は、針カニューレ１６を保護するために取り囲んで末端方向へ進むであろう。十分な末端方向への移動の後、弾性的に屈曲可能なフィンガー４６はハブ１４の末端３４を通りぬけ、末端３４の外側壁３８の一部と一直線上に並ぶ位置に弾性をもって移動するであろう。そして、針カニューレの再露出は十分に防止される。一方、ハブ１４の末端３４にある内方に向いたフランジと、シールド２０上の外方に向いたフランジとの間の係合は、ハブ１４からシールド２０が完全に分離することを防ぐ。
【００１４】
【発明の効果】
自動的にシールドできる血液採集セットが提供される。
【図面の簡単な説明】
【図１】本発明に従った血液採集セットの針が露出している斜視図である。
【図２】図１の２−２線での断面図である。
【図３】図１に類似する斜視図であるが、血液採集セットの針が保護された状態を示すものである。
【符号の説明】
１０    血液採集セット
１４    ハブ
１６    針カニューレ
２０    シールド
３２    ハブの基端
３４    ハブの末端
３６    ハブの内側壁
３８    ハブの外側壁
４０    保持穴
４２    シールドの基端
４４    シールドの末端
４６    フィンガー
４８    アクチュエータ
６６    羽根
【図１】
0003958579.tif 000002
【図２】
0003958579.tif 000003
【図３】
0003958579.tif 000004